(57)【特許請求の範囲】
【請求項１】
中央にポンプ吸込口を有するサクションカバーの下底面およびインペラを収容するポンプケーシングの外周面からそれぞれ若干の間隔を保有して環状ストレーナを嵌装させ、該ストレーナの下底面を構成する底板の中央部に前記ポンプ吸込口と対向する底部吸水孔を穿設すると共にその下方に浅い通水路を保有させ且つストレーナの周壁に多数の側部吸水孔を配設し、前記ポンプ吸込口を包囲してサクションカバーの下面より導下された環状ベローズの下縁部を前記底部吸込孔の穿設部よりも外方において底板上へ内屈状に圧接させて逆流防止構造の環状吸込口を構成したことを特徴とする水中ポンプ。
【発明の詳細な説明】
【０００１】
【発明の技術分野】
本発明は、超低水位での排水を確実に行わせると共に通常水位での排水をも有効に行わせる水中ポンプに関するものである。
【０００２】
【従来技術とその問題点】
一般に水中ポンプは、その据付床面から排水可能な最低水位というものが、ストレーナスタンドの高さ等により制約せられ、低水位での完全な排水ができず、数ｃｍの残水を生じるというのが実情であった。
【０００３】
その対策として吸込口の開口位置を極力低くし、低水位排水を行わせるようにしたものも存在するが、この構造では低水位排水専用となり、通常水位での排水能力は著しく低下するという欠点がある。
【０００４】
【発明の目的】
本発明の目的は、上述のような従来の欠点を払拭して、残水を生じることなく超低水位での排水が完全に行われ、しかも通常水位での排水効率にも何ら支障を生じることなく有効に機能する水中ポンプを提供することにある。
【０００５】
【発明の構成】
本発明水中ポンプにおいては、中央にポンプ吸込口を有するサクションカバーの下底面およびインペラを収容するポンプケーシングの外周面からそれぞれ若干の間隔を保有して環状ストレーナを嵌装させ、該ストレーナの下底面を構成する底板の中央部に前記ポンプ吸込口と対向する底部吸水孔を穿設すると共にその下方に浅い通水路を保有させ且つストレーナの周壁に多数の側部吸水孔を配設し、前記ポンプ吸込口を包囲してサクションカバーの下面より導下された環状ベローズの下縁部を前記底部吸込孔の穿設部よりも外方において底板上へ内屈状に圧接させて逆流防止構造の環状吸込口を構成した。
【０００６】
【実施例】
以下実施例の図面により説明をする。
【０００７】
１はモータケーシング、２はモータケーシング１内に形成されるモータ室、３は例えばアルミダイキャスト等で作られたオイルケーシングであって、その下壁中央部にはポンプ軸４の貫通孔５が穿設されており、周壁上縁部をモータケーシング１の下面に結合させることにより内部にオイル室６が形成される。７はオイルケーシング３の下壁周辺部に係止するよう合成ゴムまたはそれと均等の材質で作られたポンプケーシング、８は後記上壁構成部材９の外周縁を支承するようポンプケーシング７の周壁内周面上縁に繞設された支持座、１０は前記貫通孔５の周辺部裏面に凸設された環状縁であって、その外周面は後記上壁構成部材９の内周面に対向する。該上壁構成部材９は合成ゴムまたはそれと均等の材質で作られ、その内周面は波形の凹凸面に形成されて前記環状縁１０の外周面との圧合を容易ならしめ、外周縁は前記支持座８に係止してオイルケーシング３の下壁裏面に添設される。前記ポンプケーシング７の周壁には上面開口径が下面開口径よりも大径のコーン状竪孔１１‥‥１１が配設せられ、該コーン状竪孔１１‥‥１１と対向するテーパー状柱体１２‥‥１２を前記オイルケーシング３の下壁周辺部に配設し、該テーパー状柱体１２‥‥１２には後記サクションカバー１３の周辺部に配設された透孔１４‥‥１４と同心状に対向するネジ孔１５‥‥１５を下端面から穿設する。上記サクションカバー１３はポンプケーシング７の下壁構成部材でもあり、中央にポンプ吸込口１６を有し周辺部には前記テーパー状柱体１２‥‥１２の下端部と嵌合する透孔１４‥‥１４が配設され、その上面周辺部を前記ポンプケーシング７の周壁下縁に定着させることにより渦流室１７が形成せられ、その内部にはポンプ軸４の下端に嵌着されたインペラ１８が収容される。１９は周壁要所に多数の側部吸水孔２０‥‥２０を配設した環状ストレーナ、２１は環状ストレーナ１９下底面を構成する底板であり、その中央部には前記ポンプ吸込口１６と対向する底部吸水孔２２‥‥２２が配設され、周辺部にはサクションカバー１３の下面周辺部への当接座となる上向段部２３‥‥２３と、接地座となる下向段部２４‥‥２４とが要所に配設されて中央部下面に浅い通水路Ｓを保有させ、且つ上向段部２３‥‥２３にはテーパー状柱体１２‥‥１２のネジ孔１５‥‥１５と同心状に対向するボルト挿通孔２５‥‥２５が穿設されている。２６は前記ポンプ吸込口１６を包囲してサクションカバー１３の下面より導下された環状のベローズであり、その下縁部は若干小径に狭窄されるがその内径は、前記底部吸込孔２２‥‥２２の開口位置よりも外方において底板２１上へ対向するよう設定されている。
【０００８】
上述の構成において、各コーン状竪孔１１‥‥１１内にテーパー状柱体１２‥‥１２を嵌合させ、サクションカバー１３の周辺部に配設されている透孔１４‥‥１４をテーパー状柱体１２‥‥１２の下端部へ嵌合させ、上向段部２３‥‥２３に配設されたボルト挿通孔２５‥‥２５をネジ孔１５‥‥１５と合致させ、各ボルト挿通孔２５‥‥２５より締付ボルト２７‥‥２７を挿通してそれぞれネジ孔１５‥‥１５に螺着する。このようにして締付ボルト２７‥‥２７を螺着することにより、サクションカバー１３および環状ストレーナ１９と共にポンプケーシング７をオイルケーシング３へ結合させることができ、サクションカバー１３の下底面およびポンプケーシング７の周壁外周面からそれぞれ若干の間隔を保有して環状ストレーナ１９が嵌装せられる。そしてサクションカバー１３の下面より導下された環状ベーローズ２６の下縁部が底部吸込孔２２‥‥２２の穿設部よりも外方における底板２１上へ内屈状に圧接して該圧接部に逆流防止構造の環状吸込口２８が構成せられることになり、環状ストレーナ１９の側部吸水孔２０‥‥２０から環状吸込口２８を経てポンプ吸込口１６へ至る第１の流通経路と、底板２１下面の浅い通水路Ｓから底部吸水孔２２‥‥２２を通ってポンプ吸込口１６に至る第２の流通経路が形成される。
【０００９】
【作用】
水中ポンプの停止時には、環状ベローズ２６の下縁部がその弾力により底板２１上に圧接して、逆流防止構造の環状吸込口２８は閉塞状態に保たれている。しかし所定の上昇水位で水中ポンプを起動させると、インペラ１８の下部に負圧が発生して環状ベローズ２６の下縁部は底板２１上から浮き上がり、環状吸込口２８を開口させて通水状態となるので、環状ストレーナ１９の側部吸水孔２０‥‥２０より吸い込まれた水は環状吸込口２８を通過しポンプ吸込口１６より渦流室１７内を経てポンプ吐出口２９から排水される。そして排水の進行により水位が次第に低下して側部吸水孔２０‥‥２０が水面上へ露出する低水位ｌ１まで達すると、環状ベローズ２６の下縁部が底板２１上に押し付けられて環状吸込口２８を閉塞するので、側部吸水孔２０‥‥２０からポンプ吸込口１６へ至る第１の流通経路は遮断され、底板２１下面の通水路Ｓから底部吸水孔２２‥‥２２を通って吸い込まれた水がポンプ吸込口１６より渦流室１７内を経てポンプ吐出口２９から排出されるのであるが、この間環状ベローズ２６による逆流防止機能が働いているため、側部吸水孔２０‥‥２０が水面上に露出していても低水位での排水は、上記底部吸水孔２２‥‥２２からポンプ吸込口１６へ至る第２の流通路により支障なく、渇水状態となる超低水位ｌ２まで行われるのである。
【００１０】
【発明の効果】
本発明水中ポンプによれば、通常水位から超低水位までの排水が有効・確実に行われるという利点がある。しかも本発明の実施に当たっては、既成の水中ポンプを利用してサクションカバーの下面に環状ベローズを付設し且つ環状ストレーナの底板中央に底部吸込孔を付加するという僅かな改造により行い得るので、産業上の利用価値は多大である。
【図面の簡単な説明】
【図１】本発明水中ポンプの要部縦断側面図である。
【図２】本発明水中ポンプにおけるオイルケーシングの縦断側面図である。
【図３】本発明水中ポンプにおけるポンプケーシング上壁構成部材の縦断側面図である。
【図４】本発明水中ポンプにおけるポンプケーシング周壁の縦断側面図である。
【図５】本発明水中ポンプにおけるサクションカバーおよび環状ベローズの縦断側面図である。
【図６】本発明水中ポンプにおける環状ストレーナの縦断側面図である。
【符号の説明】
７    ポンプケーシング
１３  サクションカバー
１６  ポンプ吸込口
１８  インペラ
１９  環状ストレーナ
２０  側部吸水孔
２１  底板
２２  底部吸水孔
２６  環状ベローズ
２８  環状吸込口
Ｓ    浅い通水路
【図１】
0003589741.tif 000002
【図２】
0003589741.tif 000003
【図３】
0003589741.tif 000004
【図４】
0003589741.tif 000005
【図５】
0003589741.tif 000006
【図６】
0003589741.tif 000007